(57)【要約】【課題】樋部材を外付けすることによる見栄えの低下をなくし、決められた排水箇所以外からの溢水を防止し得る庇を提供する。【解決手段】庇１は、前方へ突き出るように基端部が建物の外壁面に固定される左右の側枠３Ｌ，３Ｒと、左右の側枠３Ｌ，３Ｒ間に設けられ複数本の帯板状の羽板２１が互いに平行かつ傾斜させて格子状に並設されている庇板２と、左右の側枠３Ｌ，３Ｒの先端部間に装着される前縁板５とから成る。庇板２の各羽板２１は下端縁に、左右の各側枠３Ｌ，３Ｒは内側面に、それぞれ上面開口の樋溝２５，３９が全長にわたって形成されている。庇板２は、各羽板２１の樋溝２５の開放された両側端が側枠３Ｌ，３Ｒの樋溝３９の上方に位置するように各側枠３Ｌ，３Ｒに固定されている。前縁板５には、左右の各側枠３Ｌ，３Ｒの樋溝３９に連通する雨水の排出路５３が設けられている。【選択図】図２
2015214868.tif 000002
【特許請求の範囲】
【請求項１】
建物の外壁面に設置される庇であって、前方へ突き出るように基端部が建物の外壁面に固定される左右の側枠と、左右の側枠間に設けられ複数本の帯板状の羽板が互いに平行かつ傾斜させて格子状に並設されている庇板と、左右の側枠の先端部間に装着される前縁板とから成り、前記庇板の各羽板は下端縁に、左右の各側枠は内側面に、それぞれ上面開口の樋溝が全長にわたって形成され、各羽板の樋溝の開放された両側端が各側枠の樋溝の上方に位置するように前記庇板が各側枠に固定されており、前記前縁板には、左右の各側枠の樋溝に連通する雨水の排出路が設けられて成る庇。
【請求項２】
建物の外壁面に設置される庇であって、前方へ突き出るように基端部が建物の外壁面に固定される左右の側枠と、左右の側枠間の中間位置に前方へ突き出るように基端部が建物の外壁面に固定される中間枠と、左側の側枠と中間枠との間および右側の側枠と中間枠との間にそれぞれ設けられ複数本の帯板状の羽板が互いに平行かつ傾斜させて格子状に並設されている庇板と、左右の側枠および中間枠の先端部間に装着される前縁板とから成り、前記の各庇板の各羽板は下端縁に、各側枠は内側面に、中間枠は両側面に、それぞれ上面開口の樋溝が全長にわたって形成され、各羽板の樋溝の開放された両側端が側枠または中間枠の樋溝の上方に位置するように各庇板が各側枠と中間枠とに固定されており、前記前縁板には、左右の各側枠の樋溝と中間枠の樋溝とに連通する雨水の排出路が設けられて成る庇。
【請求項３】
建物の外壁面に設置される庇であって、前方へ突き出るように基端部が建物の外壁面に固定される左右の側枠と、左右の側枠間の中間位置に前方へ突き出るように基端部が建物の外壁面に固定される少なくとも２本の中間枠と、左側の側枠と中間枠との間、右側の側枠と中間枠との間、および隣り合う中間枠間にそれぞれ設けられ複数本の帯板状の羽板が互いに平行かつ傾斜させて格子状に並設されている庇板と、左右の側枠および中間枠の先端部間に装着される前縁板とから成り、前記の各庇板の各羽板は下端縁に、各側枠は内側面に、各中間枠は両側面に、それぞれ上面開口の樋溝が全長にわたって形成され、各羽板の樋溝の開放された両側端が側枠または中間枠の樋溝の上方に位置するように各庇板が各側枠または各中間枠に固定されており、前記前縁板には、左右の各側枠の樋溝と各中間枠の樋溝とに連通する雨水の排出路が設けられて成る庇。
【請求項４】
請求項１に記載された庇であって、各側枠は長さ調節が可能な支持ポールにより支持されている庇。
【請求項５】
請求項２または３に記載された庇であって、各側枠と中間枠とは長さ調節が可能な支持ポールにより支持されている庇。
【請求項６】
請求項１〜５のいずれかに記載された庇であって、基端部上に上面開口の樋部材がさらに設けられている庇。
【請求項７】
請求項１〜６のいずれかに記載された庇であって、前記庇板は各羽板の両端部が止着される左右の側板を有し、各側板は側枠または中間枠の樋溝上に抜止め状態でネジ部材により固定されている庇。
【発明の詳細な説明】
【技術分野】
【０００１】
この発明は、建物の外壁面に設置される庇に関し、この発明は特に、庇板として複数の羽板を格子状に並設した構造のものが用いられた庇に関する。
【背景技術】
【０００２】
従来、その種の庇板は、図８に示すように、複数の帯板状の羽板１００を互いに平行かつ傾斜させて格子状に並設した構造のものであり、建物の外壁面１０に前方へ張り出すように設置されている。この庇板１０３が建物の開口部分１１の上方に設置されたとき、開口部分１１より直射日光が屋内に差し込むのが防止される一方、羽板１００，１００間の隙間から光が取り込まれるので、適度な採光も得られる。
【０００３】
しかし、この種の庇板１０３では、雨が降り注ぐと、雨水は羽板１００の傾斜を伝ってその下端縁より流下するという問題がある。これを防止するために、各羽板１００の下端縁を上方へ折り返して樋溝（図示せず）を形成したものが提案されている（例えば特許文献１参照）。
この特許文献１に記載の庇では、側端部に樋部材１０１が外付けされており、各羽板１００の傾斜を伝って樋溝に流下した雨水は、その後、樋溝に沿って流れ、樋部材１０１に集められる。樋部材１０１に集められた雨水は樋部材１０１の傾斜に沿って流れ、開放された前端部１０２から外部へ排出される。
【先行技術文献】
【特許文献】
【０００４】
【特許文献１】実開平５−１４３６９号公報
【発明の概要】
【発明が解決しようとする課題】
【０００５】
しかし、特許文献１に記載の庇は、外付けされた樋部材１０１が下方に突出して目立つため、下方から見上げたときの庇の見栄えが悪いものとなっている。また、横幅が長くなる庇板の場合、各羽板１００の樋溝および樋部材１０１に集められる雨水の量が増し、各羽板１００の樋溝や樋部材１０１の随所で雨水が溢れるという問題がある。
【０００６】
この発明は、上記の問題に着目してなされたもので、樋部材を外付けすることによる見栄えの低下をなくし、決められた排水箇所以外からの溢水を防止し得る庇を提供することを目的とする。
【課題を解決するための手段】
【０００７】
この発明による庇は、建物の外壁面に設置されるものであって、前方へ突き出るように基端部が建物の外壁面に固定される左右の側枠と、左右の側枠間に設けられ複数本の帯板状の羽板が互いに平行かつ傾斜させて格子状に並設されている庇板と、左右の側枠の先端部間に装着される前縁板とから成る。前記庇板の各羽板は下端縁に、左右の各側枠は内側面に、それぞれ上面開口の樋溝が全長にわたって形成されている。各羽板の樋溝の開放された両側端が各側枠の樋溝の上方に位置するように前記庇板が各側枠に固定されている。前記前縁板には、左右の各側枠の樋溝に連通する雨水の排出路が設けられている。
【０００８】
上記した構成の庇に雨が降り注ぐと、雨水は各羽板の傾斜を伝ってそれぞれの下端縁の樋溝に流下する。各樋溝に溜まった雨水は樋溝に沿って流れ、側枠の内側面の樋溝に集められる。側枠の樋溝に集められた雨水は樋溝に沿って流れ、前縁板の雨水の排出路を通って決められた位置から外部へ排出される。
【０００９】
この発明による他の庇は、前方へ突き出るように基端部が建物の外壁面に固定される左右の側枠と、左右の側枠間の中間位置に前方へ突き出るように基端部が建物の外壁面に固定される中間枠と、左側の側枠と中間枠との間および右側の側枠と中間枠との間にそれぞれ設けられ複数本の帯板状の羽板が互いに平行かつ傾斜させて格子状に並設されている庇板と、左右の側枠および中間枠の先端部間に装着される前縁板とから成る。前記の各庇板の各羽板は下端縁に、各側枠は内側面に、中間枠は両側面に、それぞれ上面開口の樋溝が全長にわたって形成されている。各羽板の樋溝の開放された両側端が側枠または中間枠の樋溝の上方に位置するように各庇板が各側枠と中間枠とに固定されている。前記前縁板には、左右の各側枠の樋溝と中間枠の樋溝とに連通する雨水の排出路が設けられている。
【００１０】
上記した庇の構成は、横幅が大きくなる庇に適用されるもので、左右の側枠間の中間位置に中間枠が設けられ、左側の側枠と中間枠との間および右側の側枠と中間枠との間にそれぞれ庇板が設けられる。
上記した構成の庇に雨が降り注ぐと、雨水は各羽板の傾斜を伝ってそれぞれの下端縁の樋溝に流下する。各樋溝に溜まった雨水は樋溝に沿って流れ、側枠の内側面の樋溝や中間枠の両側面の樋溝に集められる。側枠や中間枠の樋溝に集められた雨水は樋溝に沿って流れ、前縁板の雨水の排出路を通って決められた位置から外部へ排出される。
この庇では、２個の庇板を幅方向に連ねて構成されているので、庇板の各羽板が殊更長くなるようなことはなく、各羽板の樋溝に流下する雨水は樋溝から溢れるほどに量が増すことはなく、また、側枠縁の樋溝に集められる雨水も樋溝から溢れるほどに量が増すこともない。
【００１１】
この発明による他の庇は、前方へ突き出るように基端部が建物の外壁面に固定される左右の側枠と、左右の側枠間の中間位置に前方へ突き出るように基端部が建物の外壁面に固定される少なくとも２本の中間枠と、左側の側枠と中間枠との間、右側の側枠と中間枠との間、および隣り合う中間枠間にそれぞれ設けられ複数本の帯板状の羽板が互いに平行かつ傾斜させて格子状に並設されている庇板と、左右の側枠および中間枠の先端部間に装着される前縁板とから成る。前記の各庇板の各羽板は下端縁に、各側枠は内側面に、各中間枠は両側面に、それぞれ上面開口の樋溝が全長にわたって形成されている。各羽板の樋溝の開放された両側端が側枠または中間枠の樋溝の上方に位置するように各庇板が各側枠または各中間枠に固定されている。前記前縁板には、左右の各側枠の樋溝と各中間枠の樋溝とに連通する雨水の排出路が設けられている。
【００１２】
上記した庇の構成は、横幅がさらに大きくなる庇に適用されるもので、左右の側枠間の中間位置に少なくとも２本の中間枠が設けられ、左側の側枠と中間枠との間、右側の側枠と中間枠との間、および中間枠間にそれぞれ庇板が設けられる。
上記した構成の庇に雨が降り注ぐと、雨水は各羽板の傾斜を伝ってそれぞれの下端縁の樋溝に流下する。各樋溝に溜まった雨水は樋溝に沿ってに流れ、側枠の内側面の樋溝や各中間枠の両側面の樋溝に集められる。側枠や中間枠の樋溝に集められた雨水は樋溝に沿って流れ、前縁板の雨水の排出路を通って決められた位置から外部へ排出される。
この庇では、３個以上の庇板を幅方向に連ねて構成されているので、庇板の各羽板が殊更長くなるようなことはなく、各羽板の樋溝に流下する雨水は樋溝から溢れるほどに量が増すことはなく、また、側枠の樋溝に集められる雨水も樋溝から溢れるほどに量が増すこともない。
【００１３】
好ましい実施態様の庇においては、耐荷重性を高めかつ左右の各側枠の傾きを揃えることを可能にするために、各側枠は長さ調節が可能な支持ポールにより支持されている。さらに、中間枠を有する庇についても、同様の理由から、中間枠は長さ調節が可能な支持ポールにより支持されている。
【００１４】
さらに好ましい実施態様の庇は、基端部上に上面開口の樋部材がさらに設けられている。この実施態様の庇では、建物の外壁面を伝って流下する多量の雨水は樋部材に流れ込むので、庇板の各羽板の樋溝に雨水が余分に流れ込むことがなく、樋溝からの溢水が防止される。
【００１５】
好ましい実施態様においては、前記庇板は各羽板の両端部が止着される左右の側板を有し、各側板は側枠または中間枠の樋溝上に抜止め状態でネジ部材により固定されている。この実施態様の庇においては、側枠や中間枠に対して庇板の着脱が可能かつ容易である。
【発明の効果】
【００１６】
この発明によると、降り注いだ雨水を集めて排水するのに、別途樋部材を製作して外付けする必要がなく、樋部材の外付けによる見栄えの低下を招くおそれがない。また、横幅が長くなる庇では、複数の庇板を横幅方向に連ねて構成するので、各羽板が殊更長くなることはない。したがって、各羽板の樋溝に流下する雨水は羽板の樋溝から溢れるほどに量が増すことはなく、また、側枠や中間枠の樋溝に集められる雨水も側枠や中間枠の樋溝から溢れるほどに量が増すこともない。
【図面の簡単な説明】
【００１７】
【図１】この発明の一実施例である庇の平面図である。
【図２】図１のＡ−Ａ線に沿う中間部分を省略した断面図である。
【図３】図２のＢ−Ｂ線に沿う中間部分を省略した断面図である。
【図４】この発明の他の実施例である庇の平面図である。
【図５】図４のＣ−Ｃ線に沿う中間部分を省略した断面図である。
【図６】この発明のさらに他の実施例である庇の平面図である。
【図７】図６のＤ−Ｄ線に沿う中間部分を省略した断面図である。
【図８】従来の庇の斜視図である。
【発明を実施するための形態】
【００１８】
図１は、この発明の一実施例である庇１をテラスに設置した例を示している。図中、１０は建物の外壁面であり、庇１はこの外壁面１０に庇板２が前方へ張り出すように前下がりの姿勢で設置されている。なお、この発明に係る庇１はテラス以外の場所にも設置できることはいうまでもない。
図示例の庇１は、互いに平行な左右の側枠３Ｌ，３Ｒと、左右の側枠３Ｌ，３Ｒ間に設けられる庇板２と、左右の側枠３Ｌ，３Ｒの先端部間に装着される前縁板５とで構成されており、各側枠３Ｌ，３Ｒは、長さ調節が可能な支持ポール６により上方より吊持されている。なお、支持ポール６は各側枠３Ｌ，３Ｒを下方より支えるものであってもよい。
【００１９】
左右の各側枠３Ｌ，３Ｒは、図２および図３に示すように、前方へ突き出るように基端部が左右の支持金具７によって建物の外壁面１０にそれぞれ固定されている。各支持金具７は、建物の外壁面１０の同じ高さ位置に取り付けられており、アンカーボルト７０により外壁面１０に密接状態で固定される背板部７１と、背板部７１の上端部および下端部に屈曲形成された上下の支持板部７２，７３とを一体に備えている。各支持板部７２，７３は平行をなし、わずかに前下がりになっている。上下の支持板部７２，７３間の両側位置には左右一対の補強板７６，７７が介装され、溶接などによって一体化されている。
【００２０】
左右の各側枠３Ｌ，３Ｒは、長さ方向と直交する方向の断面形状が縦長矩形状の管状部３０を有している。この管状部３０の基端部を前記支持金具７の外側面に嵌め込むことにより、各側枠３Ｌ，３Ｒが左右の各支持金具７に支持される。管状部３０の上壁部３１と支持金具７の上側の支持板部７２との間、および管状部３０の左右の側壁部３３，３４と左右の補強板７６，７７との間はそれぞれビス７４，７５により一体に固着されている。管状部３０の基端部が前下がりの支持金具７の外面に嵌合されることで、各側枠３Ｌ，３Ｒは前下がりになっており、支持ポール６を長さ調節することにより、各側枠３Ｌ，３Ｒの傾きが揃えられ、かつそれぞれの先端部が同一の水平面上に揃えられる。
【００２１】
各側枠３Ｌ，３Ｒは、管状部３０の一方の側壁部３３より突出する上板部３５および下板部３６と、他方の側壁部３４の外側面より反対方向へ突出する上板部３５および下板部３６とを、それぞれ一体に備えたものである。各下板部３６は上板部３５より突出幅が大きく設定されている。各上板部３５，３５と上壁部３１、各下板部３６，３６と下壁部３２とはそれぞれ同一面上にあり、各側枠３Ｌ，３Ｒは中心線に対して線対称の形状となっている。
【００２２】
各上板部３５の先端縁は、全長にわたって下向きに直角に曲げられ、鉤状の抜止め片３７が形成されている。管状部３０の両側壁部３３，３４の高さ中央部には突壁部３８，３８が全長にわたって一体形成されている。突壁部３８と上板部３５との間にはガイド溝３８ａが形成されている。各下板部３６の先端縁は、全長にわたって上向きに直角に曲げられて支え片３９が形成されている。支え片３９の内側は樋溝３９ａとなっている。
【００２３】
前記の各ガイド溝３８ａには後述する庇板２の側板８を前端の開放部分より挿入して摺動させることが可能となっている。前記抜止め片３７は庇板２の側板８がガイド溝３８ａから脱出するのを阻止する。前記樋溝３９ａは雨水を集めて傾斜下端の前縁板５へ導くもので、この樋溝３９ａが深くなるように支え片３９は抜止め片３７より大きな曲げ幅に設定されている。この支え片３９の上端は庇板２を構成する各羽板２１の下端を支持する。
【００２４】
上記した左右の各側枠３Ｌ，３Ｒは、アルミニウムの押出成形により形成されている。この実施例の側枠３Ｌ，３Ｒは、中心線に対して線対称の形状であるので、１種類の押出型材を左側の側枠３Ｌ、右側の側枠３Ｒ、後述する中間枠４のいずれにも用いることができる。この押出型材を左側の側枠３Ｌとして用いる場合は右側面のみが、右側の側枠３Ｒとして用いる場合は左側面のみが、それぞれ庇板２の固定に関わるが、後述する中間枠４として用いる場合は両側面が庇板２の固定に関わる。
【００２５】
前記庇板２は、複数本の帯板状の羽板２１が互いに平行かつ傾斜させて格子状に並設されたものである。各羽板２１の両側端部は左右の側板８，８の内面に当接され、２本のビス２２によって止め固定されている。各羽板２１はアルミニウムの押出成形により形成されている。各羽板２１の上端部および中央部には前記ビス２２がねじ込まれるビス止め孔２３，２４が形成されている。
【００２６】
各羽板２１の下端縁には流下する雨水を受ける樋溝２５が全長にわたって形成されている。樋溝２５は、両側板８，８の下方に位置し、両側端が開放されている。各羽板２１は前下がりに傾斜し、その傾斜面の上下の各端部は水平部２６，２７となっている。下端部の水平部２７は先端縁が上向きに曲げられ、その曲げ縁部２８の内側が前記樋溝２５となっている。隣り合う羽板２１，２１間において、上下の各水平部２６，２７は空間を挟んでオーバーラップしており、直下に降り注いだ雨水はいずれかの羽板２１に当たるので、羽板２１，２１間の隙間を通過しない。
なお、各羽板２１はアルミニウムにより形成されているので、表裏面は光を拡散反射する反射面を構成している。各反射面で反射を繰り返した光の一部は庇１の下方へ導かれ、床面を明るく照らす。
【００２７】
左右の各側板８は、アルミニウムの押出成形により庇１の出幅に相当する長さに形成されており、羽板２１がビス止めされる止め固定部８１と、止め固定部８１の下端部に全長にわたって屈曲形成される水平脚部８３とを備えている。水平脚部８３の下方に、各羽板２１の樋溝２５の開放された両側端が位置し、各羽板２１の樋溝２５と左右の側枠３Ｌ，３Ｒの樋溝３９ａとが連通する。
【００２８】
庇板２は、左右の各側板８，８が左右の各側枠３Ｌ，３Ｒの上板部３５と突壁部３８との間に挿入されて位置決め固定されることによって、左右の側枠３Ｌ，３Ｒ間に組み付けられる。この状態で、各羽板２１の樋溝２５の開放された両側端は各側枠３Ｌ，３Ｒの樋溝３９ａの上方に位置する。
なお、出幅が大きな庇については、庇板２は、側枠３Ｌ，３Ｒへの組立作業を容易化するために、出幅方向に複数個に分割された構成とするのが望ましい。
【００２９】
左右の各側板８の上端面には、両側に立ち上がり部８６，８６を有する一定深さの凹部８５が全長にわたり形成されている。この凹部８５には側枠３Ｌ，３Ｒの上板部３５の複数個所にネジ込まれたビス８７の先端がそれぞれ当接している。各ビス８７がねじ込まれて側板８が下方に押されると、側板８の下端縁の水平脚部８３が側枠３Ｌ，３Ｒの突壁部３８の上面に押し付けられるとともに、各羽板２１の端部が支え片３９の上端面に押し付けられる。各側板８の上端部は側枠３Ｌ，３Ｒの上板部３５の抜止め片３７に係合し、また、各ビス８７の先端部は各側板８の上端面の凹部８５に係合するので、側板８のガイド溝３８ａからの脱出が阻止される。
【００３０】
前記前縁板５は、アルミニウムの押出成形により形成されており、左右の側枠３Ｌ，３Ｒの前端面に所定の隙間５４を隔てて対向する前壁部５０と、各側枠３Ｌ，３Ｒの前端部の上面に被せられてビス止めされる上壁部５１と、各側枠３Ｌ，３Ｒの前端部の下面にビス止めされる下壁部５２とを一体に備えている。前記下壁部５２の内側に全長にわたって形成された内部空間は雨水の排出路５３を構成しており、この排出路５３は隙間５４を介して各側枠３Ｌ，３Ｒの樋溝３９ａと連通している。下壁部５２の両端位置には排出路５３内に集められた雨水を外部に排出するための排出口５５が形成されている。なお、図３において、５６は前縁板５の両端の開放部を塞ぐ端板である。
【００３１】
上記した構成の庇１の基端部上には、建物の外壁面１０を伝って流下する雨水を受け入れる上面開口の樋部材９が庇の全幅にわたって設けられている。図示例の樋部材９は、アルミニウムの押出成形により形成されており、雨水を収容する上面開口の樋本体９０と、この樋本体９０の前端縁沿いに一体形成された側枠３Ｌ，３Ｒへの取付片９１と、樋本体９０の後端縁沿いに一体形成された外壁面１０への取付片９２とで構成されている。前側の前記取付片９１は、下方へ屈曲した形状のものであり、その先端縁が左右の側枠３Ｌ，３Ｒの管状部３０上にビス止めされている。後側の取付片９２は帯状のものであり、建物の外壁面１０に取り付けられた取付板９３にビス止めされている。樋本体９０の底板の両端には、図２において点線で示すように、切欠部９４が形成されており、この切欠部９４より雨水が下方へ排出されるようになっている。樋本体９０の両端の開放部はそれぞれ塞ぎ板９５によって塞がれており、各塞ぎ板９５の下端は左右の側枠３Ｌ，３Ｒの樋溝３９ａの上方位置に達している。塞ぎ板９５の下端には樋溝３９ａ内に入り込むガイド部９６が屈曲形成されており、このガイド部９６によって塞ぎ板９５の内面を伝って流下した雨水が樋溝３９ａ内に導かれる。この樋部材９によって建物の外壁面１０を伝って流下する多量の雨水が回収されるので、庇板２の各羽板２１の樋溝２５に雨水が余分に流れ込むのが防止される。なお、樋部材９は雨よけ、日除けとしても機能するものである。
【００３２】
左右の側枠３Ｌ，３Ｒは支持ポール６によって上方より吊持されている。各支持ポール６は、長さ調節が可能な金属製パイプより成るポール本体６１の両端にネジ軸６２，６３を介して取付金具６４，６５がそれぞれ取り付けられたものである。各ネジ軸６２，６３は一端部に取付金具６４，６５が取り付けられ、他端部はポール本体６１の両端に装着されたナット部材（図示せず）にねじ込まれている。下端部側の取付金具６４は側枠３Ｌ，３Ｒの上面にボルト６６により止め固定され、上端部側の取付金具６５は建物の外壁面１０にアンカーボルト６７により固定されている。
【００３３】
支持ポール６の各ネジ軸６２，６３はネジの方向が逆方向になっている。ポール本体６１を一方向へ回転させると、各ネジ軸６２，６３がポール本体６１の両端より突き出て支持ポール６の長さが長くなり、一方、ポール本体６１を反対方向へ回転させると、ネジ軸６２，６３がポール本体６１の内部へ入り込んで支持ポール６の長さが短くなる。この支持ポール６の長さ調節によって左右の各側枠３Ｌ，３Ｒの傾きが調整され、それぞれの先端部を同一水平面上に揃えることが可能である。
【００３４】
図４および図５は、この発明の他の実施例の構成を示している。この実施例は、２個の庇板２を横幅方向に連ねて構成されたもので、前方へ突き出るように基端部が前記支持金具７により建物の外壁面１０に固定される左右の側枠３Ｌ，３Ｒと、左右の側枠３Ｌ，３Ｒ間の中間位置に前方へ突出する状態で基端部が前記支持金具７により建物の外壁面１０に固定される中間枠４と、左側の側枠３Ｌと中間枠４との間および右側の側枠３Ｒと中間枠４との間にそれぞれ設けられる２個の庇板２，２と、左右の側枠３Ｌ，３Ｒの先端部間に装着される前縁板５とで構成されており、各側枠３Ｌ，３Ｒおよび中間枠４はそれぞれ長さ調節が可能な支持ポール６により上方より吊持されている。なお、支持金具７は前記の実施例と同様の構成のものである。
【００３５】
各庇板２は、複数本の帯板状の羽板２１が互いに平行かつ傾斜させて格子状に並設されたものである。各羽板２１の下端縁には上面開口の樋溝２５が全長にわたって形成されている。各側枠３Ｌ，３Ｒは内側面に、中間枠４は両側面に、それぞれ上面開口の樋溝３９ａ，４９ａが全長にわたって形成されており、各羽板２１の樋溝２５の開放された両側端が側枠３Ｌ，３Ｒの樋溝３９ａまたは中間枠４の樋溝４９ａの上方に位置するように各庇板２が各側枠３Ｌ，３Ｒと中間枠４とに固定されている。前縁板５には、左右の各側枠３Ｌ，３Ｒの樋溝３９ａと中間枠４の樋溝４９ａとに連通する雨水の排出路５３（図２参照）が設けられている。なお、左右の側枠３Ｌ，３Ｒ、各庇板２、前縁板５、および支持ポール６は、前記した実施例と同様の構成であり、ここでは対応する構成に同一の符号を付することで詳細な説明を省略する。
【００３６】
前記中間枠４は、左右の側枠３Ｌ，３Ｒと同じ構成のものであり、管状部３０の一方の側壁部４３より突出する上板部４５および下板部４６と、他方の側壁部４４より反対方向へ突出する上板部４５および下板部４６とを、それぞれ一体に備えたものである。各下板部４６は上板部４５より突出幅が大きく設定されている。各上板部４５，４５と上壁部４１、各下板部４６，４６と下壁部４２とはそれぞれ同一面上にあり、中間枠４は中心線に対して線対称の形状となっている。
【００３７】
各上板部４５の先端縁は、全長にわたって下向きに直角に曲げられ、鉤状をなす抜止め片４７が形成されている。管状部４０の両側壁部４３，４４の高さ中央部には突壁部４８，４８が全長にわたって一体形成されている。突壁部４８と上板部４５との間にはガイド溝４８ａが形成されている。各下板部４６の先端縁は、全長にわたって上向きに直角に曲げられ、支え片４９とその内側に樋溝４９ａとが形成されている。
【００３８】
前記の各ガイド溝４８ａには庇板２の側板８を前端の開放部分より挿入して摺動させることが可能になっている。前記抜止め片４７は庇板２の側板８がガイド溝４８ａから脱出するのを阻止する。前記樋溝４９ａは雨水を集めて傾斜下端の前縁板５へ導くもので、この樋溝４９ａが深くなるように支え片４９は抜止め片４７より大きな曲げ幅に設定されている。この支え片４９の上端は庇板２を構成する各羽板２１の下端を支持する。
【００３９】
図６および図７は、この発明のさらに他の実施例の構成を示している。この実施例は、３個の庇板２を横幅方向に連ねて構成されたもので、前方へ突き出るように基端部が前記支持金具７により建物の外壁面１０に固定される左右の側枠３Ｌ，３Ｒと、左右の側枠３Ｌ，３Ｒ間の中間位置に前方へ突出する状態で基端部が前記支持金具７により建物の外壁面１０に固定される２本の中間枠４と、左側の側枠３Ｌと中間枠４との間、右側の側枠３Ｒと中間枠４との間、および隣り合う中間枠４，４間にそれぞれ設けられた３個の庇板２と、左右の側枠３Ｌ，３Ｒの先端部間に装着される前縁板５とで構成されており、各側枠３Ｌ，３Ｒおよび各中間枠４はそれぞれ長さ調節が可能な支持ポール６により上方より吊持されている。
なお、左右の側枠３Ｌ，３Ｒ、２本の中間枠４、３個の庇板２、前縁板５、および支持ポール６は、前記した実施例と同様の構成であり、ここでは主要な構成に同一の符号を付することでその説明を省略する。
【００４０】
上記した構成の庇を建物の外壁面１０に設置するには、図１〜図３に示す実施例（以下「第１実施例」という。）では左右の側枠３Ｌ，３Ｒの基端部を、図４および図５に示す実施例（以下「第２実施例」という。）と図６および図７に示す実施例（以下「第３実施例」という。）では、左右の側枠３Ｌ，３Ｒおよび中間枠４の各基端部を、それぞれ予め外壁面１０の適所に取り付けられた左右の支持金具７に嵌め込んだ後、各側枠３Ｌ，３Ｒや中間枠４を支持ポール６により上方より吊持する。各支持ポール６の長さを調節することにより第１実施例では左右の側枠３Ｌ，３Ｒが、第２、第３の各実施例では左右の側枠３Ｌ，３Ｒおよび中間枠４が、前下がりの状態で互いに平行となり、またそれぞれの先端部が同一の水平面上に揃う。
【００４１】
次に、第１実施例では左右の側枠３Ｌ，３Ｒ間に、また、第２実施例では左側の側枠３Ｌと中間枠４との間、および右側の側枠３Ｒと中間枠４との間に、さらに、第３実施例では左側の側枠３Ｌと中間枠４との間、右側の側枠３Ｒと中間枠４との間、および中間枠４，４間に、複数の羽板２１が格子状に並設された庇板２をそれぞれ組み付ける。この組み付け作業は、例えば第１実施例においては、庇板２の左右の各側板８を左右の各側枠３Ｌ，３Ｒのガイド溝３８ａに差し込むようにして庇板２を左右の側枠３Ｌ，３Ｒ間に嵌め込んだ後、庇板２の各側板８の複数個所をビス８７により押付け固定する。第２、第３の各実施例についても同様であり、各庇板２を装着した後、側枠３Ｌ，３Ｒの先端部間に前縁板５を装着する。
【００４２】
第１〜第３の各実施例の庇１に雨が降り注ぐと、雨水は庇板２の各羽板２１の傾斜を伝ってそれぞれの下端縁の樋溝２５に流下する。各樋溝２５に溜まった雨水は樋溝２５に沿って流れ、側枠３Ｌ，３Ｒや中間枠４の樋溝３９ａ，４９ａに集められる。側枠３Ｌ，３Ｒや中間枠４の樋溝３９ａ，４９ａに集められた雨水は樋溝３９ａ，４９ａに沿って流れ、前縁板５の雨水の排出路５３を通って排出口５５から外部へ排出される。
建物の外壁面１０を伝って流下する多量の雨水は樋部材９に流れ込み、両端の切欠部９４より排出されて、塞ぎ板９５沿いに側枠３Ｌ，３Ｒの樋溝３９ａに導かれる。この樋部材９の存在によって、庇板２の各羽板２１の樋溝２５に雨水が余分に流れ込むのが防止される。
【符号の説明】
【００４３】
１    庇
２    庇板
３Ｌ，３Ｒ  側枠
４    中間枠
５    前縁板
６    支持ポール
８    側板
９    樋部材
１０  外壁面
２１  羽板
２５  樋溝
３９ａ  樋溝
４９ａ  樋溝
５３  排出路
【図１】
2015214868.tif 000003
【図２】
2015214868.tif 000004
【図３】
2015214868.tif 000005
【図４】
2015214868.tif 000006
【図５】
2015214868.tif 000007
【図６】
2015214868.tif 000008
【図７】
2015214868.tif 000009
【図８】
2015214868.tif 000010